(57)【要約】  本発明は、高圧変電所（１）の窓（６）における超高周波（ＵＨＦ）センサ（１４０）のホルダシステム（１０）に関連している。ホルダシステム（１０）は、支持（５）に対面して変電所（１）に固定するための少なくとも１個の締結具要素と、ＵＨＦセンサ（１４０）を少なくとも部分的に収容する構成になっているＵＨＦセンサ（１４０）を保持するための部分と、該ホルダ部は更に締結具要素の開口部（１１９）に配置される構成になっており、ホルダ部（１２０）を締結具要素（１１０）の開口部（１１９）に手動でロックできるようにする構成になっている少なくとも第１ロッキング部材（１３０）とを備える。本発明は更に、ＵＨＦセンサアセンブリ、変電所（１）及び、ＵＨＦセンサ（１４０）を変電所（１）の窓（６）に固定する方法にも関連している。
2019501615.tif 000002
【特許請求の範囲】
【請求項１】
高圧変電所（１）窓（６、２０６）において超高周波（ＵＨＦ）センサ（１４０、２４０）を保持するためのホルダシステム（１０、２０１）であって、前記窓（６、２０６）はフランジ（１）といった該変電所の支持（５、２０５）によって該変電所（１）の別の部分に固定されており、
該ホルダシステム（１０、２０１）は、
−該支持（５、２０５）に対面して該変電所（１）に固定されるように意図された少なくとも１個の締結具要素（１１０、２１０）と、前記締結具要素は該変電所（１）に固定された時に該窓（６、２０６）へのアクセスを可能にする開口部（１１９、２１９）を含んでおり、
該ホルダシステム（１０、２０１）は、
−該ＵＨＦセンサ（１４０、２４０）を保持するためのホルダ部（１２０、２２０）と、該ホルダ部は該ＵＨＦセンサ（１４０、２４０）を少なくとも部分的に収容する構成になっており、該ホルダ部（１２０、２２０）は更に、該締結具要素（１１０、２１０）の該開口部（１１９、２１９）に配置され、該ＵＨＦセンサ（１４０、２４０）を該窓（６、２０６）に対面して適位置に保持する構成になっており、
−該ホルダ部（１２０、２２０）が該締結具要素（１１０、２１０）の該開口部（１１９、２１９）に配置された時に該ホルダ部（１２０、２２０）を該締結具要素（１１０、２１０）の適位置にロックするように適応された少なくとも１個の第１ロッキング部材（１３０、２３１、２３２）とを備えており、前記第１ロッキング部材（１３０、２３０）は該ホルダ部（１２０、２２０）が手動で該締結具要素（１１０、２１０）の該開口部（１１９、２１９）にロックされるのを可能にする構成になっていることを特徴とする、ホルダシステム（１０、２０１）。
【請求項２】
該ホルダシステム（１０、２０１）は該支持（５）から突出する窓（６、２０６）にＵＨＦセンサ（１４０、２４０）を保持する設計になっており、該締結具要素（１１０，２１０）は該窓（６、２０６）の周囲に固定される構成になっている、請求項１に記載のホルダシステム（１０、２０１）。
【請求項３】
該締結具要素（１１０、２１０）は、それを締着することによって該窓（６、２０６）に固定される構成になっている第１及び第２のリテーナジョー（１１１、１１２、２１１、２１２、３１１、３１２、４１１、４１２、５１１、５１２、６１１、６１２）を備える、請求項２に記載のホルダシステム（１０、２０１）。
【請求項４】
該締結具要素（１１０）及び該ホルダ部（１２０）は両方とも、第１ロッキング部材（１３０）を通すためのそれぞれの少なくとも１個の貫通孔（１１３ａ、１１３ｂ、１１３ｃ、１１３ｄ、１２３ａ、１２３ｂ）を備えており、該ホルダ部（１２０）はロッキングロッド（１３３ａ、１３３ｂ）と称する該第１ロッキング部材（１４０）の一部を前記貫通孔（１１３ａ、１１３ｂ、１１３ｃ、１１３ｄ、１２３ａ、１２３ｂ）に挿入することによって締結具要素（１１０）の適位置にロックされる、請求項１から３のいずれか１項に記載のホルダシステム（１０）。
【請求項５】
該第１ロッキング部材（２３１）は、該締結具要素を前記開口部（２１９）に配置できるようにするために該開口部（２１９）を空けておく少なくとも１つの第１位置と、該第１ロッキング部材が該ホルダ部（２２０）を該締結具要素（２１０）の該開口部（２１９）の適位置にロックする第２ロッキング位置との間で該締結具要素（２３０）において移動するように取り付けられる、請求項１から３のいずれか１項に記載のホルダシステム（２０１）。
【請求項６】
少なくとも１個の第２ロッキング部材（２３２）を含んでおり、該第１及び第２のロッキング部材（２３１、２３２）は、それぞれの第１及び第２のリテーナジョー（２１１、２１２）において該第１及び第２の位置の間で移動するように取り付けられる、組合せで得られる請求項３及び請求項５に記載のホルダシステム。
【請求項７】
該ホルダ部（１２０、２２０）は、該ＵＨＦセンサ（１４０、２４０）が該ホルダシステム（１０、２０１）によって該窓（６、２０６）に固定された時に密閉されている該ＵＨＦセンサ（１４０、２４０）の少なくとも一部分を収容する構成になっている、請求項１から６のいずれか１項に記載のホルダシステム（１０、２０１）。
【請求項８】
該締結具要素は、該開口部（１１９）に配置される間、該ホルダ部（１２０）を位置決めするための位置決め手段を含む、請求項１から７のいずれか１項に記載のホルダシステム（１０、２１０）。
【請求項９】
該ホルダ部（２２０）は、該ホルダ部（２２０）に少なくとも部分的に収容された時に該ＵＨＦセンサ（２４０）が固定されるのを可能にする構成になっている、請求項１から８のいずれか１項に記載のホルダシステム（２０１）。
【請求項１０】
ＵＨＦセンサアセンブリであって、
−ＵＨＦセンサ（１４０、２４０）と、
−ＵＨＦセンサ（１４０、２４０）を高圧変電所（１）窓（６、２０６）に保持するためのホルダシステム（１０、２０１）とを備えており、前記窓（６、２０６）はフランジ（１）といった該変電所の支持（５、２０５）によって該変電所（１）の別の部分に固定されており、
該アセンブリは該ホルダシステム（１０、２１０）が請求項１から６のいずれか１項に記載のシステムであることを特徴とする、ＵＨＦセンサアセンブリ。
【請求項１１】
該ホルダ部（１２０、２２０）は該ＵＨＦセンサ（１４０、２４０）のためのハウジング（１２４、２２３）を画成しており、該ホルダ部（１２０、２２０）及び該ＵＨＦセンサ（１４０、２４０）は、該ＵＨＦセンサアセンブリが該変電所（１）に設置された時に該ハウジング（１２４、２２３）を密閉する形状になっている、請求項１０に記載のＵＨＦセンサアセンブリ。
【請求項１２】
該ＵＨＦセンサ（１４０）はセンサ本体（１４１）を含んでおり、
該ホルダ部（１２０）は、
−該ホルダ部を該開口部（１１９）に配置するためのベースプレート（１２１）と、
−該ベースプレートから延出し、第１及び第２の開口部を呈する該センサ本体（１４１）のためのハウジング（１２４）を画成するスリーブ（１２２）とを備えており、
該センサ本体（１４１）は、該センサ本体の別の部分と該ハウジング（１２４）の壁との間に挿入されて該ハウジング（１２４）の第１開口部を密閉するための第１ガスケット（１４５）を含んでおり、
該ベースプレート（１２１）は、該窓（６）の表面に当接するように配置されて該ハウジング（１２４）の該第２開口部を密閉する第２ガスケット（１２５）を含む、請求項１１に記載のＵＨＦセンサアセンブリ。
【請求項１３】
該センサは、センサ本体（２４１）と該センサ本体（２４１）から延出する支承部とを含んでおり、
該ホルダ部（２２０）は、当該中心開口部（２４１）における該ＵＨＦセンサ（２４０）の設置中、該支承部が該ホルダ部（２２０）に当接するように該センサ本体（２４１）を収容するための中心開口部（２２３）を含んでおり、
該センサアセンブリは、該支承部と該ホルダ部との間に挿入される第１ガスケット（２４１）と、該ホルダ部（２２０）と該窓（２０６）との間に挿入される第２ガスケット（２２６）とを更に含む、請求項１１に記載のＵＨＦセンサアセンブリ。
【請求項１４】
窓（６、２０６）を含む高圧変電所（１）であって、前記窓（６、２０６）はフランジ（１）といった該変電所の支持（５、２０５）によって該変電所（１）の別の部分に固定されており、
該変電所（１）は、請求項１から９のいずれか１項に記載のホルダシステム（１０、２１０）によって前記窓（６、２０６）に固定されたＵＨＦセンサ（１４０、２４０）を更に含むことを特徴とする、高圧変電所（１）。
【請求項１５】
ＵＨＦセンサ（１４０、２４０）を高圧変電所（１）の窓（６、２０６）に固定する方法であって、前記窓（６、２０６）は支持（５、２０５）によって該変電所（１）の別の部分に固定されており、該方法は、
−締結具要素（１１０、２１０）及び少なくとも１個の第１ロッキング部材（１３０、２３１、２３２）を設けるステップと、
−該変電所（１）に固定された時にその開口部（１１９、２１９）が該窓（６、２０６）へのアクセスを可能にする状態で該支持（５）に対面して該変電所（１）に該締結具要素（１１０、２１０）を固定するステップと、
−ホルダ部（１２０、２２０）を設けるステップと、
−該ＵＨＦセンサ（１４０、２４０）の一部を該ホルダ部（１２０、２２０）に収容するステップと、
−該ＵＨＦセンサ（１４０、２４０）を該窓（６、２０６）に対面して適位置に配置し保持するために該締結具要素（１１０、２１０）の該開口部（１１９、２１９）に該ホルダ部（１２０、２２０）を配置するステップと、
−該第１ロッキング部材（１３０、２３１、２３２）によって該ホルダ部（１２０、２２０）を該締結具要素（１１０、２１０）の該開口部（１１９、２１９）において適位置に手動でロックするステップとを含むことを特徴とする、方法。
【発明の詳細な説明】
【技術分野】
【０００１】
本発明は、高圧変電所における超高周波（ＵＨＦ）センサの装着という分野に関連しており、より詳しくは前記高圧変電所における当該ＵＨＦセンサの固定に関する。
【背景技術】
【０００２】
高圧変電所、特にガス絶縁変電所の監視及び保守は、ＵＨＦセンサ（ＵＨＦアンテナとも称する）の使用を必要とする。具体的には、当該ＵＨＦセンサによって特に、もし存在した場合、変電所のエンクロージャの絶縁欠陥に特徴的である部分放電の存在を検出することが可能になる。
【０００３】
そうしたＵＨＦセンサは変電所のエンクロージャに永久的に設置できるが、一般に、保守作業中にそれらを当該変電所の窓に設置することがより経済的である。これは特に、窓以外に当該ＵＨＦセンサの設置のための備えをまったく持たない古い変電所に当てはまる。従って、当該センサを窓に設置することにより、変電所のエンクロージャを開放する高額な作業を要することなくＵＨＦセンサを点検及び／又は維持することが可能になる。
【０００４】
特許文献１は、ＵＨＦセンサホルダシステムによる変電所の窓へのＵＨＦセンサのそうした設置の例を提示している。
【０００５】
変電所のそうした窓は、変電所のエンクロージャに作られた開口部を密閉する部品であり、それはエンクロージャを開放する必要なく、変電所を特に目視で検査することを可能にする。そうした窓は、例えば、安全ガラスといった可視波長及びＵＨＦ波長の放射に透過な材料で、又はポリメタクリル酸メチル樹脂といったポリマーで作られ得る。窓は一般に、変電所のエンクロージャに作られた開口部に、フランジといった支持によって固定される。
【０００６】
特許文献１によって開示されたホルダシステムは、同文献の図２に関して
−その対面する支持（Ｆ）で変電所に固定するための締結具要素（Ｓ）と、前記締結具要素（Ｓ）は変電所に固定された時に窓へのアクセスを可能にする開口部を含んでおり、前記開口部はＵＨＦセンサ（Ｃ）を収容するためのハウジングを形成しており、
−締結具要素（Ｓ）の開口部によって形成されるハウジングに同じく配置されたＵＨＦセンサ（Ｃ）のプレッサ環（Ｆ３）とを備えており、プレッサ環（Ｆ３）はＵＨＦセンサ（Ｃ）を窓（Ｈ）の表面に押し付けるためにハウジングに配置されている。
【０００７】
締結具要素（Ｓ）は、特許文献１の図５に示すように、支持（Ｆ）の周囲に弾性的に拘束されたスタッド（Ｂ）のシステムによって支持（Ｆ）に取り付けられる。
【０００８】
変電所へのＵＨＦセンサ（Ｃ）の設置中、締結具要素は、ＵＨＦセンサ（Ｃ）のためのハウジングにプレッサ環（Ｆ）をねじ留めすることによって準備される。ＵＨＦセンサは引き続き、同ハウジングに配置され締結具要素によりねじ留めされる。ＵＨＦセンサ（Ｃ）が設置されると、締結具要素（Ｓ）は引き続き支持（Ｆ）の適所に入れられ、ＵＨＦセンサはプレッサ環（Ｆ３）によって窓（Ｈ）の表面に押し付けられる。
【０００９】
当該ホルダシステムは、ホルダシステムの手動取り付けにより窓への迅速アクセスを可能にしつつ、満足できる様態で変電所の窓と接触してＵＨＦセンサの満足できる設備が設置されることを可能にするが、それはいくつかの欠点を呈する。
【００１０】
具体的には、ＵＨＦセンサを装着していない変電所で介入する必要がある技術者は必然的に、その変電所に、詳しくは前記変電所に装着された窓及び窓支持の形状に合わせて適応されたホルダシステムを備える必要がある。
【００１１】
更に、特許文献１に開示されたホルダシステムは、そうした配置とほとんど適合性がないスタッドシステム（Ｂ）のために、下方に向いている窓に設置できない。
【００１２】
当該ホルダシステムの副次的な欠点は、それが屋外設置に適応していない点であることに留意しなければならない。実際、当該ホルダシステムによって適所に保持されたセンサには悪天候に対するいかなる保護もなく、当該システムによって保持されたＵＨＦセンサは雨又は高湿度の場合に損傷を受ける可能性がある。
【先行技術文献】
【特許文献】
【００１３】
【特許文献１】欧州特許出願公開第２６８５２６８号明細書
【発明の概要】
【発明が解決しようとする課題】
【００１４】
本発明は、それらの欠点の少なくとも一部を克服しようとするものであり、従って、ＵＨＦセンサが設置できた変電所の窓をアクセス可能のままとしながら、技術者が工具の使用を要することなくＵＨＦセンサを変電所に設置するのを可能にするホルダシステムを提供するという特定の目的を有する。
【００１５】
本発明はまた、窓及びその支持の適応をほとんど要求しないホルダシステムを提供しようとするものである。
【課題を解決するための手段】
【００１６】
このために、本発明は、高圧変電所窓に超高周波（ＵＨＦ）センサを保持するためのホルダシステムを提供するものであって、前記窓はフランジといった変電所の支持によって変電所の別の部分に固定されており、
該ホルダシステムは、
−該支持に対面して該変電所に固定されるように意図された少なくとも１個の締結具要素を備えており、前記締結具要素は、該変電所に固定された時に該窓へのアクセスを可能にする開口部を含んでおり、
該ホルダシステムは更に、
−該ＵＨＦセンサを保持するためのホルダ部と、該ホルダ部は該ＵＨＦセンサを少なくとも部分的に収容する構成になっており、該ホルダ部は更に、該締結具要素の該開口部に配置され、該ＵＨＦセンサを該窓に対面して適位置に保持する構成になっており、
−該ホルダ部が該締結具要素の該開口部に配置された時に該締結具要素で適位置に該ホルダ部をロックするように適応された少なくとも１個のロッキング部材とを備えており、前記ロッキング部材は該ホルダ部が手動で該締結具要素の該開口部にロックされるのを可能にする構成になっている。
【００１７】
当該ホルダシステムにより、締結具部は、窓へのアクセスを妨げることなく永久固定によって支持に固定され得る。実際、ロッキング部材を手動でロック解除した後に単にホルダ部を取り外すことにより、窓へのアクセスが得られる。同様にして、そのような手動ロック解除により、技術者はＵＨＦセンサに直接アクセスし、特定の工具をまったく要さずにＵＨＦセンサに直接介入できる。
【００１８】
このように、変電所の窓に締結具要素を予め設置することが可能であり、変電所の窓は締結具要素を開放することによって変わらずアクセス可能である。技術者が現場でＵＨＦセンサを設置する必要がある場合、技術者は、ホルダ部と、ＵＨＦセンサと、そしてロッキング部材が締結具要素に取り付けられていない場合に前記ロッキング部材とを備えるだけですむ。このように、センサを変電所の窓に設置するためにいかなる特定の工具も必要ない。
【００１９】
更に、当該ホルダシステムでは、締結具要素だけを窓及びその支持の形状に適応させる必要がある。従って、当該ホルダシステムでは、様々な窓及びそれらの支持に適応した構成を呈する締結具要素を変電所に事前に装着することが完全に可能である。当該支持要素はその場合、標準的なホルダ部を配置するために適応された標準的な開口部を呈してよい。このように、前記変電所において介入するために、変電所で介入する必要がある技術者は、それ自体標準的であるＵＨＦセンサと、当該部材が締結具に以前に取り付けられていない場合にロッキング部材とを装着した、この標準的なホルダ部だけを必要とする。
【００２０】
ホルダシステムは、支持から突出する窓にＵＨＦセンサを保持する設計になっており、締結具要素は窓の周囲に固定される構成になっている。
【００２１】
締結具要素のそうした構成により、窓及び、窓をその支持に固定するために使用されたボルトに損傷を与える危険性を制限することが可能になる。
【００２２】
締結具要素は、それを締着することによって窓に固定される構成になっている第１及び第２のリテーナジョーを備え得る。
【００２３】
締結具要素のそうした構成は窓支持への固定をより容易にする。
【００２４】
第１及び第２のリテーナジョーは変形可能リンクによって互いに連結され得る。
【００２５】
このようにして、第１及び第２のリテーナジョーは、変形可能リンクを変形させることによって支持に配置でき、この変形を解放することによりリテーナジョーは支持において適所に保持されることになる。
【００２６】
締結具要素及びホルダ部は両方とも、第１ロッキング部材を通すための少なくとも１個のそれぞれの貫通孔を含んでおり、ホルダ部はロッキングロッドと称する第１ロッキング部材の一部を前記貫通孔に挿入することによって締結具要素における適位置にロックされる。
【００２７】
このようにして、ホルダ部は、単にロッキングロッドを貫通孔に挿入することによって締結具要素にロック可能である。
【００２８】
第１ロッキング部材は、締結具要素を前記開口部に配置できるようにするために開口部を空けておく少なくとも１つの第１位置と、第１ロッキング部材がホルダ部を締結具要素の該開口部における適位置にロックする第２ロッキング位置との間で締結具要素において移動するように取り付けられる。
【００２９】
ロッキング部材をこのようにして締結具要素に取り付けることにより、締結具要素を装着した変電所で介入する技術者は、ロッキング部材を持ってくる必要がまったくなく、ホルダ部及びＵＨＦセンサだけを携行し得る。
【００３０】
ホルダシステムは少なくとも１個の第２ロッキング部材を含むこともでき、第１及び第２ロッキング部材は、それぞれの第１及び第２のリテーナジョーにおいて第１及び第２の位置の間で移動するよう取り付けられる。
【００３１】
ホルダ部は、ＵＨＦセンサがホルダシステムによって窓に固定された時に密閉されているＵＨＦセンサの少なくとも一部分を収容する構成になっているとしてよい。
【００３２】
密閉という概念は、この実施例及び本明細書の別の部分においては水に関連していると理解しなければならない。従って、ＵＨＦセンサの部分が密閉されていると述べた場合、ＵＨＦセンサのこの部分が防水であると理解するべきである。
【００３３】
当該ホルダ部に関して、ホルダシステムは、屋外に位置する変電所への設置に特に適している。実際、ホルダ部にこのように収容されたＵＨＦセンサは、悪天候から、特に雨から保護される。
【００３４】
締結具要素は、開口部に配置される間、ホルダ部を位置決めするための位置決め手段を含み得る。
【００３５】
ホルダ部は、ホルダ部に少なくとも部分的に収容された時にＵＨＦセンサが固定されるのを可能にする構成になっている。
【００３６】
そうした構成により、ホルダ部及びＵＨＦセンサを備えるＵＨＦ測定キットを提供することが可能であり、センサは前記ホルダ部に固定される。このようにして、締結具要素を装着した高圧変電所を検査する必要がある技術者は、キット及びロッキング部材を携行するだけでよい。
【００３７】
本発明はまたＵＨＦセンサアセンブリにも関連しており、該ＵＨＦセンサアセンブリは、
−ＵＨＦセンサと、
−高圧変電所窓にＵＨＦセンサを保持するためのホルダシステムとを備えており、前記窓はフランジといった変電所の支持によって変電所の別の部分に固定されており、
該ホルダシステムは本発明のシステムである。
【００３８】
当該アセンブリは本発明のホルダシステムと同じ特長から利益を得る。
【００３９】
ホルダ部はＵＨＦセンサのためのハウジングを画成するとしてよく、ホルダ部及びＵＨＦセンサは、ＵＨＦセンサアセンブリが変電所に設置された時にハウジングを密閉する形状になっている。
【００４０】
当該防水ハウジングは、ＵＨＦセンサが屋外の変電所に設置された時にＵＨＦセンサを悪天候から保護するのを可能にする。ＵＨＦセンサに損傷を与える危険性は大いに低減する。
【００４１】
ＵＨＦセンサはセンサ本体を含むとしてよく、ホルダ部は、
−ホルダ部を開口部に配置するためのベースプレートと、
−ベースプレートから延出し、第１及び第２の開口部を呈するセンサ本体のためのハウジングを画成するスリーブとを備えており、
センサ本体は、センサ本体の別の部分とハウジングの壁との間に挿入されてハウジングの第１開口部を密閉するための第１ガスケットをたぶん含んでおり、
ベースプレートは、窓の表面に当接するように配置されてハウジングの第２開口部を密閉する第２ガスケットを含む。
【００４２】
センサは、センサ本体とセンサ本体から延出する支承部とを含むとしてよく、
ホルダ部は、当該中心開口部へのＵＨＦセンサの設置中、支承部がホルダ部に当接するようにセンサ本体を収容するための中心開口部を含んでおり、
センサアセンブリは、支承部とホルダ部との間に挿入される第１ガスケットと、ホルダ部と窓との間に挿入される第２ガスケットとを更に含む。
【００４３】
当該アセンブリは、高圧変電所に設置される間、センサ本体のための防水ハウジングを提供することを可能にする。
【００４４】
本発明はまた、窓を含む高圧変電所に関連しており、前記窓はフランジといった変電所の支持によって変電所の別の部分に固定されており、
変電所は、本発明のホルダシステムによって前記窓に固定されたＵＨＦセンサを更に含む。
【００４５】
当該アセンブリは、本発明のホルダシステムと同じ特長から利益を得る。
【００４６】
本発明は更に、ＵＨＦセンサを高圧変電所の窓に固定する方法に関連しており、前記窓は支持によって変電所の別の部分に固定されており、該方法は、
−締結具要素及び少なくとも１個の第１ロッキング部材を供給するステップと、
−変電所に固定された時にその開口部が窓へのアクセスを可能にする状態で支持に対面して変電所に該締結具要素を固定するステップと、
−ホルダ部を設けるステップと、
−ＵＨＦセンサの一部をホルダ部に収容するステップと、
−ＵＨＦセンサを窓に対面して適位置に配置し保持するために締結具要素の開口部にホルダ部を配置するステップと、
−第１ロッキング部材によってホルダ部を締結具要素の開口部において適位置に手動でロックするステップとを含む。
【００４７】
当該方法により、本発明に関係する特長から利益を得るようにしてＵＨＦセンサを設置することが可能になる。
【００４８】
本発明は、添付図面に関して、完全に例示であって非限定的な様態で提示した実施形態の説明を読み取ることによってより良好に理解できる。
【図面の簡単な説明】
【００４９】
【図１】ＵＨＦセンサを備え変電所の窓及びその支持に装着された本発明のホルダシステムの斜視図である。
【図２】本発明のホルダシステムを取り外した後の図１に示した変電所の窓及びその支持の上面図である。
【図３】本発明のホルダシステムによって保持されるのに適したＵＨＦセンサの斜視図である。
【図４Ａ】図１に示したホルダシステムを保持するためのホルダ部の２つの斜視図である。
【図４Ｂ】図１に示したホルダシステムを保持するためのホルダ部の２つの斜視図である。
【図５Ａ】図１に示したホルダシステムを保持するためのそれぞれの第１及び第２のリテーナジョーの斜視図である。
【図５Ｂ】図１に示したホルダシステムを保持するためのそれぞれの第１及び第２のリテーナジョーの斜視図である。
【図６】図１に示したホルダシステムをロックするための部材の斜視図である。
【図７】フランジ及び窓ガラスだけを図示した窓に設置された本発明の第２実施形態を成すホルダシステムの斜視図であり、当該ホルダシステムはそれぞれ第１及び第２のリテーナジョーである２個の取り付けられたホルダ部材を備える。
【図８】図７に示したホルダシステムに装着されたＵＨＦセンサの斜視図である。
【図９】ＵＨＦセンサを装着し窓に配置された図７に示したホルダ部の斜視図である。
【図１０】ＵＨＦセンサを装着し窓に配置された図７及び９に示したホルダ部の断面図である。
【図１１】ホルダシステムが窓に配置された後の図７に示したホルダシステムの第１及び第２のリテーナジョーの設置の斜視図である。
【図１２Ａ】第１及び第２実施形態と互換性がある締結具要素の３つの実施形態を示す。
【図１２Ｂ】第１及び第２実施形態と互換性がある締結具要素の３つの実施形態を示す。
【図１２Ｃ】第１及び第２実施形態と互換性がある締結具要素の３つの実施形態を示す。
【発明を実施するための形態】
【００５０】
各図において、１図から別の図への移行を容易にするために、同一、類似又は相当の部品には同じ参照数字が付されている。
【００５１】
図１は、高圧変電所１の窓６及びその支持５に装着された本発明のホルダシステム１０を示しており、前記ホルダシステム１０はＵＨＦセンサ１４０を前記窓６に保持することを可能にする。
【００５２】
当該ホルダシステム１０は特に、ガス絶縁変電所（ＧＩＳ）としてより周知の、誘電性ガスを用いて絶縁された変電所といったガス絶縁高圧変電所に装着される設計になっている。
【００５３】
図２に図示し説明する通り、そうした変電所１は、支持５によって変電所１の別の部分に固定された少なくとも１つの矩形窓６を備える。図１及び２において、この支持は変電所１の開口部にねじ留めされた円形フランジである。窓６は支持６に取り付けられ、そこから突出する。
【００５４】
当然ながら、窓６及び支持５、又は窓を変電所の別の部分に固定するフランジはそれぞれ形状に関し矩形及び円形であるが、本発明は他の形状の窓及び／又は窓支持と完全に互換性がある。従って、本発明の第２実施形態の説明で以下に示すように、ホルダシステムは円形の窓に装着されるように適応され得る。
【００５５】
図１に示す通り、ホルダシステム１は以下を備える。
−窓６に固定された第１及び第２のリテーナジョー１１１、１１２。第１及び第２のリテーナジョーは一緒に窓６へのアクセスを可能にする開口部１１９を画成する。
−ＵＨＦセンサを部分的に収容するホルダ部１２０。前記ホルダ部１２０は第１及び第２のジョー１１１、１１２によって画成される開口部１１９に配置される。
−ホルダ部１２０を開口部１１９において適位置にロックするように適応された第１ロッキング部材１３０。
【００５６】
図３は、ホルダシステム１０によって窓６に保持されるＵＨＦセンサ１４０を示す。ＵＨＦセンサ１４０は、窓６の表面に当接することになる一端（その底面）を有する概ね円筒形状のセンサ本体１４１を備える一方、その他方端はＵＨＦセンサ１４０をＵＨＦセンサ電子部品（図示せず）に接続するためのコネクタ１４６を含む。センサ本体１４１の直径はその対称軸に沿って変化し、センサ本体１４１はコネクタを含む第１部分１４３を有し、そのコネクタは、窓６の表面に当接することになる設計となっている底面を含む第２部分１４４よりも小さい直径である。このようにして、センサ本体１４１は、第１及び第２部分１４３、１４４の間の境界に肩部１４２を含む。
【００５７】
その第１部分１４３に、センサ本体１４１は第１ガスケット１４５も含む。前記第１ガスケット１４５は、センサ本体１４１の別の部分とホルダ部１２０の内部との間に挿入されるように配置される。
【００５８】
ＵＨＦセンサ１４０のセンサ本体１４１はホルダ部１２０に収容される。
【００５９】
図４Ａ及び４Ｂに示すように、ホルダ部２０は以下を備える。
−十字形のベースプレート１２１。十字の各腕部１２７、１２８は第１及び第２のリテーナジョー１１１、１１２のそれぞれの溝１１７、１１８において適位置に入り込む形状になっている。
−ベースプレート１２１から延出し、ベースプレート１２１に開いているＵＨＦセンサ１４０のためのハウジング１２４を画成するスリーブ１２２。
【００６０】
ベースプレート１２１は、第１及び第２のジョー１１１、１１２によって画成される開口部１１９において位置を占める形状になっており、十字の腕部は第１及び第２のジョー１１１、１１２に作られた溝１１７、１１８に受け入れられる。そうした造形により、ホルダ部１２０のベースプレートが開口部１１９に配置された時に、スリーブ１２２によって画成されるハウジング１２４は窓６の表面に対面してベースプレート１２１に通じる。
【００６１】
ベースプレート１２１の腕部１２７、１２８のうち、２個の対向する第１腕部１２７は位置決め腕部であり、２個の同様に対向する第２腕部１２８はロッキング腕部である。
【００６２】
第２ロッキング腕部１２８は全部、ロッキング部材を通すための貫通孔１２３ａ、１２３ｂを備えている。貫通孔１２３ａ、１２３ｂは、ベースプレートの平面に平行で、且つ第２腕部１２８が延びる方向に垂直に延びる貫通孔である。
【００６３】
ベースプレート１２１は、窓６の表面に当接するようになっておりスリーブ１２２の反対にあるその面に配置された第２ガスケット１２５を含む。図４Ａに示すように、この第２ガスケット１２５は、ベースプレート１２１のハウジング１２４の口を囲む円形溝に配置される。このようにして、ホルダ部１２０が開口部１１９に配置された時に、ハウジング１２４は、ベースプレートのその口が窓６の表面及び第２ガスケット１２５によって密閉される。口がハウジング１２４の第２開口部であるので、第２ガスケット１２５はハウジング１２４の第２開口部を密閉するのを可能にする。
【００６４】
スリーブ１２２は、円筒形状であり、センサ本体１４１の第１部分１４４と第２部分１４５の一部とを受け入れる大きさになっている。このように、ベースプレート１２１から進んで、スリーブは、センサ本体の第１部分１４４の直径に一致する内径を有する第１部分と、センサ本体１４１の第２部分１４５の直径に一致する直径を有する第２部分とを備える。このようにして、第１部分の間の境界は、センサ本体１４１の肩部１４２のための支持当接肩部を形成する。スリーブ１２２の第１部分の寸法設定は、ＵＨＦセンサ１４０がハウジング１２４に受け入れられホルダ部１２０が開口部１１９に配置された時に、窓６の表面でＵＨＦセンサ１４０に当接するように適応される。
【００６５】
ＵＨＦセンサ本体１４０がハウジング１２４に配置された時、ＵＨＦセンサ１４０の第１ガスケット１４５により、開口部がベースプレート１２１の反対側に位置するハウジング１２４の第１開口部は密閉される一方、コネクタはハウジング１２４を出ることができる。従って、ＵＨＦセンサがホルダシステム１によって設置された時、ハウジング１２４が一端で第２ガスケット１２５及び窓６の表面によって、他方端で第１ガスケット１４５及びＵＨＦセンサ１４０の第１部分１４３によって密閉されることから、センサ本体１４１は湿気から保護される。そうしたセンサハウジング１４０は、屋外に位置し悪天候にさらされる変電所１にとって特に有利である。
【００６６】
図１に示すように、リテーナジョー１１１、１１２は窓６に固定される形状になっている。この窓６へのリテーナジョー１１１、１１２の固定は、窓５の両側へのリテーナジョー１１１、１１２の配置及び、２個の締付けねじ（図示せず）によって前記ジョーの間に締着される窓６によってもたらされる。
【００６７】
図５Ａ及び５Ｂに示すように、各々のリテーナジョー１１１、１１２は、それぞれの第１及び第２の側部拡張部１１６が延出する第１及び第２の端を含む縦方向部分１１５を備える。各リテーナジョー１１１、１１２の第１及び第２の側部拡張部１１６は互いに平行に延出する。
【００６８】
その縦方向部分１１５において、リテーナジョー１１１、１１２の各々は、ホルダ部１２０の第１腕部１２７の１つを受け入れるための位置決め溝１１７を含む。第１及び第２の側部拡張部１１６の各々はＬ字形突出部よりなり、Ｌ字形の内側は他方のリテーナジョー１１１の対応するＬ字形の内側とともにロッキング溝１１８を形成する。縦方向部分１１５と平行に延びるＬ字形の上部腕部は、ロッキング部材を通すための貫通孔１１３ａ、１１３ｂ、１１３ｃ、１１３ｄを含む。貫通孔１１３ａ、１１３ｂ、１１３ｃ、１１３ｄは、対応するリテーナジョー１１１、１１２の側部拡張部１１６の方向と平行に延びる。更に、Ｌ字形の底面は、締付けねじが設置されるのを可能にするための締付け孔１１４ａ、１１４ｂ、１１４ｃ、１１４ｄを備える。締付け孔１１４ａ、１１４ｂ、１１４ｃ、１１４ｄは、側部拡張部１１６の方向と平行にＬ字形の底面の全長に沿って延びる。
【００６９】
このように、第１及び第２のリテーナジョー１１１、１１２が窓６のまわりに配置された時に、第１リテーナジョー１１１の側部拡張部１１６は、それと一直線をなして第２リテーナジョー１１２の側部拡張部１１６と接触して配置される。このようにして、第１ジョー１１１の締付け孔１１４ａ、１１４ｂは第２リテーナジョー１１２の締付け孔と連通しており、その中に締付けねじを配置することにより窓６はリテーナジョー１１１、１１２によって締着できる。窓６をリテーナジョー１１１、１１２の間に締着することにより、窓６への、従って変電所１へのリテーナジョー１１１及び１１２の一時的固定をもたらす。第１及び第２のリテーナジョー１１１及び１１２の側部拡張部１１６は一緒になって、窓６へのアクセスを可能にする開口部１１９を画成する。
【００７０】
このように、第１及び第２のジョー１１１、１１２は一緒になって、支持５に対面して変電所１に固定するための締結具要素１１０を形成し、前記締結具要素１１０は変電所１に固定された時に窓６へのアクセスを可能にする開口部１１９を含む。
【００７１】
変電所１への第１及び第２のリテーナジョー１１１、１１２のそうした固定により、Ｌ字形突出部の配置は、ロッキング溝１１８を形成し、第１リテーナジョー１１１の貫通孔１１３ａ、１１３ｂを第２リテーナジョー１１２の貫通孔と整列させる働きをする。このようにして、その第２腕部１２８がロッキング溝１１８に配置されてホルダ部１２０が開口部１１９に配置された時に、第１及び第２のジョー１１１、１１２の、そしてホルダ部１２０の貫通孔１１３ａ、１１３ｂ、１１３ｃ、１１３ｄ、１２３ａ、１２３ｂは、２つのそれぞれの整列を成す。
【００７２】
図６に示したロッキング部材１３０は概ねＵ字形であり、Ｕ字形の底辺１３１はハンドルを形成し、Ｕ字形の２個の腕部１３３ａ、１３３ｂはロッキングロッドを形成しており、ロッキングロッドは、リテーナジョー１１１、１１２及びホルダ部１２０の貫通孔１１３ａ、１１３ｂ、１１３ｃ、１１３ｄ、１２３ａ、１２３ｂに係合してホルダ部をホルダジョー１１１、１１２における適位置にロックするように適応されている。
【００７３】
従って、ＵＨＦセンサは、以下のステップを含む固定方法によって当該ホルダシステム１０を備えた変電所に設置し得る。
−締結具要素１１０を設けるステップと、
−変電所１に固定された時にその開口部１１９が窓６へのアクセスを可能にするように締結具要素１１０を支持５に対面して変電所１に固定するステップと、
−ホルダ部１２０を設けるステップと、
−ＵＨＦセンサ１４０の一部をホルダ部１２０に収容するステップと、
−ＵＨＦセンサ１４０を窓６に対面して適位置に配置し保持するために、締結具要素１１０の開口部１１９にホルダ部１２０を配置するステップと、
−ロッキング部材１３０によってホルダ部１２０を締結具要素１１０において適位置に手動でロックするステップ。
【００７４】
締結具要素１１０を変電所１に固定するステップは、以下の下位ステップを含む。
−窓６のまわりに第１及び第２のリテーナジョー１１１、１１２を配置するステップ、
−締付けねじを設けるステップ、
−リテーナジョー１１１、１１２が窓６を包囲するようにして締付け孔に締付けねじを設置し固定するステップ。
【００７５】
ホルダ部１２０をロッキング部材１３０によって締結具１１０の適位置に手動でロックするステップは、ロッキングロッドの各々をリテーナジョー１１１、１１２及びホルダ部１２０の貫通孔１１３ａ、１１３ｂ、１１３ｃ、１１３ｄ、１２３ａ、１２３ｂに挿入するステップからなる。
【００７６】
当然ながら、窓６及びその支持５はそれぞれ、その支持から突出する矩形形状の窓６及び円形フランジの形態の支持であるが、本発明は、当該窓／支持の組に装着される構成になっている締結具システムに限定されるものではなく、窓及びその支持の形状及び構成がいかなるものであっても全部のホルダシステムに関連する。
【００７７】
同様にして、例示実施形態の締結具要素が窓に固定される形状になっていれば、締結具要素の他の構成もまた本発明の範囲を越えることなく想定され得る。従って、締結具要素はまた、変電所に固定された時に、該締結具要素が支持に対面して位置し、また前記同一構成においてその開口部が窓へのアクセスを可能にするということであれば、本発明の範囲を越えることなく、支持又は変電所の別の部分に固定される構成になっていてよい。
【００７８】
この実施形態におけるロッキング部材は２個のロッキングロッドを備えるＵ字形ロッキング部材であるが、手動ロッキング及びロック解除を可能にする任意の他のロッキング部材が本発明の範囲を越えることなく当然に想定できる。従って、一方はねじであり他方は蝶ナットである２個のロッキング部材によってホルダ部を開口部の適位置にロックすることは完全に可能である。
【００７９】
図７〜１１は、本発明の第２実施形態を成すホルダシステム２１０を示しており、各リテーナジョー２１１、２１２はそれ自身のロッキング部材２３０により装着され、ＵＨＦセンサ２４０は複数のボルト２４５によってホルダ部２２０に保持される。
【００８０】
この第２実施形態におけるホルダシステム２１０は、各々がリテーナジョー２１１、２１２のそれぞれの１つで移動するように取り付けられた２個のロッキング部材を用いていることと、ホルダ部２２０によって設けられるハウジングにＵＨＦセンサを設置することによって、第１実施形態のホルダシステム１１０とは異なる。
【００８１】
図８は、この第２実施形態においてそれを受け入れるのに適したホルダ部２２０を有するＵＨＦセンサ２４０を示す。ＵＨＦセンサ２４０は概ね円筒形状のセンサ本体２４１を含む。ＵＨＦセンサ２４０はリム２４２を更に含んでおり、リムは窓２０６から遠隔である設計となっているセンサ本体２４１の底面から周方向に延出する。リム２４２は、センサ本体２４１の軸に対してほぼ軸方向であり、リムのまわりに周方向に規則的に分散した貫通孔２４３を含む。
【００８２】
図８において、ＵＨＦセンサ２４０は、ホルダ部２２０に作られた中心開口部２２３によって形成されるハウジングにセンサを保持するためのねじ２４５を備える。
【００８３】
図９は、ホルダ部２２０のハウジングに部分的に収容されたＵＨＦセンサ２４０の設置を示しており、このＵＨＦセンサ２４０のアセンブリ及びホルダ部２２０アセンブリは窓２０６に配置される。図１０は、窓におけるこのアセンブリを示す断面図である。
【００８４】
図１０に示すように、ホルダ部２２０は概ね円筒形状であって、部分ボディ２２２と突出部分２２１とを備え、突出部分は窓２０６と接触するようになっており、それ自体、部分ボディ２２２の直径よりも小さい直径を有する。
【００８５】
ホルダ部２２０は、ＵＨＦセンサ２４０のためのハウジングとして働く中心開口部２２３がその全高にわたって貫いている。中心開口部２２３はセンサ本体２４１を収容する大きさになっている。このように、ホルダ部２２０の中心開口部２２２はセンサ本体２４１の直径よりもわずかに大きい直径を有する。部分ボディ２２２は、支持２０１５に当接するようになっており突出部分２２１が延出する「底」面と、更に底面から遠隔の「上」面を含む。
【００８６】
ＵＨＦセンサ２４０のリム２４２の貫通孔２４３と相補的な様態で、部分ボディ２２１の上面は一連のねじ孔２２４を備えている。ねじ孔２２４は中心開口部２２３のまわりに周方向に分散する。ねじ孔２２４の分散は、センサ本体２４１がホルダ部２２０のハウジングに装着される時に各々のねじ孔２２３が貫通孔２４３に延びるようにして、リム２４２の貫通孔２４３の再配置に一致する。
【００８７】
このように、ＵＨＦセンサ２４０がホルダ部２２０に設置され、そのセンサ本体２４１がハウジングを形成する中心開口部２２３に収容されている時に、貫通孔２４３及びねじ孔２２４を一致させてねじ２４５をねじ孔にねじ込むことが可能である。ねじ２４５が締め付けられると、リム２４２はねじ２４５によってホルダ部２２０の上面に押し付けられることになる。
【００８８】
ホルダ部２２０の上面と中心開口部２２３との連結が確実に防水であるようにするために、リム２４２及び／又は上面は、センサ本体２４１が中心開口部２２３に配置されている時にリム２４２とホルダ部２４０の上面との間に拘束されて保持される構成になっている第１円周ガスケット２４４を含んでもよい。リム２４２はＵＨＦセンサのための支承部を形成する。
【００８９】
図９に示すように、部分ボディ２２２は、窓をその支持２０５に固定するのを可能にするボルト２０７の頭を少なくとも部分的に収容するための凹部２２５をその底面に備える。このようにして、窓２０６に当接するようにホルダ部２２０が配置されている時にボルト２０７に損傷を与える危険性はまったくない。
【００９０】
突出部分２２１を加えた部分ボディ２２２の全高は、センサ本体２４１の高さにほぼ等しい。このようにして、ＵＨＦセンサ２２０は、図９及び１０に示すようにＵＨＦセンサ２２０及びホルダ部２４０を含むアセンブリの窓２０６への設置中、窓２０６の表面に押し付けられ得る。
【００９１】
特に図１０に示すように、窓２０６に当接することになる突出部分２２１の面においてホルダ部２２０はまた、Ｏリング２２６を少なくとも部分的に受け入れるための溝を含んでもよい。このようにして、ＵＨＦセンサ２２０及びホルダ部２４０を含むアセンブリが窓２０６に設置された時に、センサ本体２４１は中心開口部２２３によって形成されたハウジングに密閉される。
【００９２】
第１及び第２のリテーナジョー２１１、２１２は、第１実施形態のものと同様、窓２０６の支持２０５に設置される構成になっている。各ジョー２１１、２１２は概ね、その長辺の１辺に沿って半円を取り除いた長方形の形状をしている。このようにして、第１及び第２のジョー２１１、２１２が一体に組付けられて締結具要素２３０を形成した時に、それらは取り除かれた半円形区域と一緒になって、ほぼ円形であり窓２０６へのアクセスを可能にする開口部２１９を画成する働きをする。
【００９３】
第１及び第２のジョー２１１、２１２は、締結具要素２１０を形成するために２個のねじ２１４ａ、２１４ｂによって窓２０６の支持２０５に組付けられるようにするための通路を含む。
【００９４】
第１及び第２のリテーナジョー２１１、２１２は両方とも、それぞれのロッキング部材２３１、２３２が装着される。各ロッキング部材２３１、２３２は、ホルダ部２２０を前記開口部２１９に配置できるようにするために開口部２１９を空けておく第１位置と、第１ロッキング部材がホルダ部２２０を開口部２１９の適位置にロックする第２ロッキング位置との間で旋回する可動ジョーに取り付けられる。ロッキング部材２３１、２３２の各々は、金属製の、好ましくはばね鋼製の屈曲ロッドである。各ロッキング部材２３１、２３２は、縦方向に延び２個の側部腕部２３１ｂ、２３２ｂが横方向に延びる中心ロッド２３１ａ、２３２ａよりなる。
【００９５】
中心ロッド２３１ａ、２３２ａから遠隔のその端において、ロッキング部材２３１、２３２の側部腕部２３１ｂ、２３２ｂの各々は側方突出部を備えており、それは対応するリテーナジョー２１１、２１２に受け入れられる。側方突出部のためのハウジングは、ロッキング部材が対応する中心ロッド２３１ａ、２３２ａの縦方向に平行なそれぞれの軸に関して旋回可能にするように適応されている。
【００９６】
各中心ロッド２３１ａは、側部腕部２３１ｂ、２３２ｂの方へ当該縦線に対して後退した内側区域を備えて縦線に沿って延びている。各々の第１及び第２のロッキング部材２３１、２３２の内側区域は、前記ロッキング部材２３１、２３２がそのロッキング位置にある時にホルダ部２２０に当接することになるためのものである。
【００９７】
このように、第２実施形態のホルダシステム２１０を高圧変電所に設置する必要がある技術者は、以下のステップを含む設置方法を実施できる。
−第１及び第２のロッキング部材をそれぞれ含む第１及び第２のリテーナジョー２１１及び２１２を設けるステップ。
−窓２０６の支持２０５のまわりに第１及び第２のリテーナジョーを設置するステップ。前記ジョーは締結具要素２１０を形成するためにねじ２１４ａ、２１４ｂによって一体に組付けられる。
−ＵＨＦセンサ２４０を設けるステップ。
−ホルダ部２２０を設けるステップ。
−ホルダ部２２０にＵＨＦセンサ２４０を装着するステップ。センサ本体２４１はホルダ部２２０の中心開口部２２３によって形成されるハウジングに受け入れられる。
−ＵＨＦセンサ２０５を窓２０６に対面して適位置に配置しそこで保持するために、ホルダ部２２０を締結具要素２１０の開口部２１９に配置するステップ。
−第１及び第２のロッキング部材をそれぞれのロッキング位置に移動させることによってホルダ部２２０を締結具要素２１０の開口部２１９において適位置に手動でロックするステップ。
【００９８】
当然ながら、締結具要素は図１１に示すように２個のリテーナジョー２１１、２１２を備えるとしてよいが、本発明はこの形式の締結具だけに限定されるものではない。
【００９９】
図１２Ａ〜１２Ｃは、第１及び第２実施形態のホルダシステム１０、２１０と互換性がある締結具要素の他の実施形態を示す。
【０１００】
このように、例えば、図１２Ａに示すように、第１及び第２のジョー３１１、３１２は半円形状であってよく、各リテーナジョー３１１、３１２はねじによって一体に組付けられるのを可能にする２個のねじ通路３２３ａ、３２３ｂを有する。更に、図１２Ｂ及び１２Ｃに示すように、締結具アセンブリ５１０、６１０は、「変形可能リンク」５１４、６１４によって互いに連結される第１及び第２のジョー５１１、５１２、６１１、６１２を備え得る。用語「変形可能リンク」は、第１及び第２のリテーナジョー５１１、５１２、６１１、６１２が該ジョーを互いに対して移動可能にするように互いに連結されることを意味すると理解しなければならない。そうした移動は、リンク自体、更には第１及び第２のリテーナジョー５１１、５１２、６１１、６１２の各々を変形させることによって可能になる。そうした変形可能リンクの場合、第１及び第２のジョーは、第１及び第２のリテーナジョーの各々に作られた１個のねじ通路５１３、６１３だけ、及び１個のねじだけを用いて一体に組付けられ得る。
【０１０１】
当然ながら、これらの実施例は完全に例示目的で提示しており、決して限定的ではない。
【符号の説明】
【０１０２】
１  高圧変電所
５  支持
６  窓
１０  ホルダシステム
１１０  締結具要素
１１１、１１２  リテーナジョー
１１３ａ、１１３ｂ、１１３ｃ、１１３ｄ  貫通孔
１１４ａ、１１４ｂ、１１４ｃ、１１４ｄ  締付け孔
１１５  縦方向部分
１１６  側部拡張部
１１７、１１８  溝
１１９  開口部
１２０  ホルダ部
１２１  ベースプレート
１２２  スリーブ
１２３ａ、１２３ｂ  貫通孔
１２４  ハウジング
１２５  第２ガスケット
１２７、１２８  腕部
１３０  ロッキング部材
１３１  ハンドル
１３３ａ、１３３ｂ  ロッキングロッド
１４０  ＵＨＦセンサ
１４１  センサ本体
１４２  肩部
１４３  第１部分
１４４  第２部分
１４５  第１ガスケット
１４６  コネクタ
２０５  支持
２０６  窓
２０７  ボルト
２１０  ホルダシステム
２１１、２１２  リテーナジョー
２１４ａ、２１４ｂ  ねじ
２２０  ホルダ部
２２１  突出部分
２２２  部分ボディ
２２３  中心開口部
２２４  ねじ孔
２２５  凹部
２２６  Ｏリング
２３０  締結具要素
２３１、２３２  ロッキング部材
２３１ｂ、２３２ｂ  側部腕部
２３１ａ、２３２ａ  中心ロッド
２４０  ＵＨＦセンサ
２４１  センサ本体
２４２  リム
２４３  貫通孔
２４４  第１円周ガスケット
２４５  ボルト
２４５  ねじ
３１１、３１２  リテーナジョー
３２３ａ、３２３ｂ  ねじ通路
５１０、６１０  締結具アセンブリ
５１１、５１２、６１１、６１２  リテーナジョー
５１３、６１３  ねじ通路
５１４、６１４  変形可能リンク
【図１】
2019501615.tif 000003
【図２】
2019501615.tif 000004
【図３】
2019501615.tif 000005
【図４Ａ】
2019501615.tif 000006
【図４Ｂ】
2019501615.tif 000007
【図５Ａ】
2019501615.tif 000008
【図５Ｂ】
2019501615.tif 000009
【図６】
2019501615.tif 000010
【図７】
2019501615.tif 000011
【図８】
2019501615.tif 000012
【図９】
2019501615.tif 000013
【図１０】
2019501615.tif 000014
【図１１】
2019501615.tif 000015
【図１２Ａ】
2019501615.tif 000016
【図１２Ｂ】
2019501615.tif 000017
【図１２Ｃ】
2019501615.tif 000018
【国際調査報告】
2019501615.tif 000019
2019501615.tif 000020
2019501615.tif 000021
2019501615.tif 000022